(57)【要約】  第１のＤＣ電圧を第２のＤＣ電圧へ変換する複合共振コンバーターでは、半導体スイッチを有する半ブリッジの出力は、共振キャパシターを通じ変圧器の１次巻線と接続され、及び変圧器の２次巻線は、整流器素子、出力インダクター及び出力キャパシターと一緒に電流出力を形成する。出力キャパシターにかかる電圧と基準電圧とを供給され、他方の半導体スイッチがオフに切り替えられた後の所定時間において半導体スイッチの１つが対応してオンに切り替えられるよう、前記半導体スイッチを交互に制御する制御部が提案される。望ましくは、周波数は引き出された電力の上限値で制御され、一方で、引き出された電力の下限値でマーク・スペース比はそれぞれ選択された一定周波数に対し制御される。
2008522571.tif 000002
【特許請求の範囲】
【請求項１】
複合共振コンバーターであって、第１のＤＣ電圧を第２のＤＣ電圧へ変換し、半導体スイッチを有する半ブリッジの出力は、共振キャパシターを通じ変圧器の１次巻線と接続され、及び前記変圧器の２次巻線は、整流器素子、出力インダクター及び出力キャパシターと一緒に電流出力を形成し、制御部は前記出力キャパシターにかかる電圧と基準電圧とを供給され、前記制御部は、他方の半導体スイッチがオフに切り替えられた後の所定時間において半導体スイッチの１つが対応してオンに切り替えられるよう、前記半導体スイッチを交互に制御する、複合共振コンバーター。
【請求項２】
周波数は、引き出された電力の上限値で制御される、請求項１記載のコンバーター。
【請求項３】
引き出された電力の下限値では、マーク・スペース比は選択された対応する一定周波数に対し制御される、請求項１又は２記載のコンバーター。
【請求項４】
下限電力値において、ｎは前記引き出された電力に依存する整数であり、及びＴ０は発振器の周期である場合、選択された周波数の周期がＴｌｐ＝（ｎ＋１／２）×Ｔ０により与えられる場合、前記発振器の周波数は、前記共振キャパシター並びに前記変圧器のストレイインダクタンス及び主インダクタンスの直列回路により記述される、請求項３記載のコンバーター。
【請求項５】
制御部は、プログラム可能な装置により形成され、前記プログラム可能な装置では、周期は前記出力キャパシターにかかる電圧と前記基準電圧との関数として導出され、前記導出された周期は、最大周波数及び前記選択された周波数の周期と比較され、及び前記半導体スイッチへ供給された制御信号は、前記周波数及び前記マーク・スペース比の関数として導出される、前記請求項の何れか１項記載のコンバーター。
【請求項６】
前記２次巻線は中央タップを有し、及び前記２次巻線の端はそれぞれ整流素子と接続される、前記請求項の何れか１項記載のコンバーター。
【発明の詳細な説明】
【技術分野】
【０００１】
本発明は、第１のＤＣ電圧を第２のＤＣ電圧へ変換する複合共振コンバーターに関する。半導体スイッチを有する半ブリッジの出力は、共振キャパシターを通じ変圧器の１次巻線と接続され、及び変圧器の２次巻線は、整流器素子、出力インダクター及び出力キャパシターと一緒に電流出力を形成する。
【背景技術】
【０００２】
テレビジョンセット及びコンピューターの液晶ディスプレイ画面の電力供給では、種々の要件を満足する回路が必須である。大きな負荷範囲に対する安定した出力電圧に加え、及び入力電圧が変動する場合にも、最大効率が要求される。これは、例えば５００ｍＷの電力だけが回路から引き出されるスタンバイ動作に特に適用される。電磁適合要件も考慮に入れなければならない。この原則に適した複合共振コンバーターは、例えば非特許文献１に記載されている。しかしながら、知られている回路は、上述の要件の全てを満足せず、及び特に接続された装置のスタンバイ動作中の低電流消費の要件を満足しない。
【非特許文献１】エリクソン、マクシモビック（Ｒ．Ｗ．Ｅｒｉｃｋｓｏｎ、Ｄ．Ｍａｋｓｉｍｏｖｉｃ）、ファンダメンタルズ・オブ・パワー・エレクトロニクス（Ｆｕｎｄａｍｅｎｔａｌｓ  ｏｆ  Ｐｏｗｅｒ  Ｅｌｅｃｔｒｏｎｉｃｓ）、２００１年、第２版
【発明の開示】
【発明が解決しようとする課題】
【０００３】
本発明は、第１のＤＣ電圧を第２のＤＣ電圧へ変換する複合共振コンバーターを提供する。
【課題を解決するための手段】
【０００４】
本発明による複合共振コンバーターは、出力キャパシターに亘る電圧及び基準電圧を供給され得る制御部が、他方の半導体スイッチがオフに切り替えられた後の所定時間において、半導体スイッチの１つが対応してオンに切り替えられるよう、半導体スイッチを交互に制御することを特徴とする。本発明によるコンバーターでは、特に、周波数は引き出された電力の上限値で制御され、及び／又はマーク・スペース比は引き出された電力の下限値で選択された対応する一定周波数に対し制御される。
【０００５】
本発明による共振コンバーターは、以下の利点により卓越している：
−電流出力は非常に小さく及び従って安価な出力キャパシターを可能にする、
−通常動作条件下で、本発明によるコンバーターのマーク・スペース比は、常に５０％であり、これは必要とされる出力インダクターの大きさを最小化する、
−本発明によるコンバーターは、電圧がゼロ交差する時、半導体スイッチを切り替えさせ、ＥＭＣフィルターの損失及び費用を最小化する、
−結合された周波数及びマーク・スペース比制御は、オンに切り替える時、必要な周波数範囲及びオンに切り替える時の電流サージの両方を最小化する、
−電圧がゼロ交差する時の切り替えは、高効率及び同期整流の可能性に加え、コンバーターを広い電力範囲に亘り容易にスケールさせ、従って異なる電力の装置は、基本的に同一である回路を用い供給され得る、
−電圧がゼロ交差する時の切り替え及び高効率は、非常に小型の無線周波数装置のコンバーターの使用を特に有利にする。
【０００６】
特に有利な実施例は、下限電力値において、選択された周波数の周期がＴｌｐ＝（ｎ＋１／２）×Ｔ０により与えられる場合、本発明によるコンバーターを最小の引き出された電力で望ましく動作させる。ここでｎは引き出された電力に依存する整数であり、およびＴ０は発振器の周期である。発振器の周波数は、共振キャパシター並びに変圧器のストレイインダクタンス及び主インダクタンスの直列回路により記述される。
【０００７】
コンバーターのある望ましい構成では、制御部はプログラム可能な装置により形成される。プログラム可能な装置では、周期は出力キャパシターにかかる電圧と基準電圧との関数として導出される。導出された周期は、最大周波数及び選択された周波数の周期と比較される。そして半導体スイッチへ供給された制御信号は、周波数及びマーク・スペース比の関数として導出される。
【０００８】
更に、特に滑らかな電流整流は、２次巻線が中央タップを有し、及び２次巻線の端がそれぞれ整流器素子と接続される場合、本発明によるコンバーターで達成される。これらは、例である実施例に示されたように整流ダイオード、又は対応する印加電圧の極性により制御される半導体スイッチ、特にＭＯＳＦＥＴであって良い。後者はまた、同期整流子としても参照される。
【０００９】
本発明のこれら及び他の態様は、以下に記載される実施例から、及びそれらを参照し説明されることにより明らかに説明される。
【発明を実施するための最良の形態】
【００１０】
図１による回路構成では、２つの電界効果トランジスターＳ１及びＳ２は、ＤＣ電圧Ｕｉｎが印加される制御部Ｒにより制御される半ブリッジを形成する。本発明によるコンバーターが電力供給ユニットとして用いられる場合、当該コンバーターの前に適切な整流器があるべきである。
【００１１】
２つの電界効果トランジスターＳ１及びＳ２の接続点は、半ブリッジの出力を形成し、及び共振キャパシターＣｒを通じて変圧器Ｔｒの１次巻線Ｐと接続される。回路の機能を説明するため、ストレイインダクタンスＬｒ及び主インダクタンスＬｍは、独立に示されるが、それらインダクタンスのために別個の構成要素が回路内に設けられるものではない。
【００１２】
２次巻線Ｓは中央タップを有する。一方、２次巻線Ｓの端は、それぞれ整流ダイオードＤ１、Ｄ２、及び出力インダクターＬｏを通じ、出力キャパシターＣｏ及び従って負荷Ｌと接続される。出力インダクターＬｏは、電流が負荷Ｌに課されるために十分高いインダクタンスを有する。出力電圧Ｕａは、しかしながら、図２及び図３と関連して記載される制御により、実質的に一定に保たれる。
【００１３】
制御部Ｒは、電界効果トランジスターＳ１及びＳ２のために対応する制御信号Ｃ１、Ｃ２を生成する。電界効果トランジスターの１つが先ずオフに切り替えられ、そして他方の電界効果トランジスターが所定時間の後にオンに切り替えられる場合、切り替え時間は互いに異なる。補償電流は、出力キャパシター（図に示されない）を通じ、及び選択的にスナバキャパシター及び寄生ダイオードを通じて流れ得る。共振周波数は、ｆ０＝１／Ｔ０＝１／［（Ｌｒ＋Ｌｍ）×Ｃｒ］１／２として与えられ、例えば１５０ｋＨｚである。
【００１４】
ｐｍａｘとｐ１の間の上限電力値での動作中、コンバーターは、従来の複合共振コンバーター（図２）として駆動され、マーク・スペース比はｄ＝０．５であり、周波数はｆｍｉｎからｆｍａｘへ上昇する。図２では、電力出力ｐの関数としての周波数ｆの特性は、２つの異なる入力電圧Ｕｉｎ１、Ｕｉｎ２に対し示される。この例では、入力電圧Ｕｉｎ１は、入力電圧Ｕｉｎ２より大きい。
【００１５】
ｐ１より少ない電力消費では、コンバーターは、周波数ｆ及びマーク・スペース比ｄの両方を介し制御される。この例では、離散周波数が選択される。対応する周期Ｔｌｐは、次のように計算される：Ｔｌｐ＝（ｎ＋ｌ／２）×Ｔ０。ここで添え字ｌｐは、下限電力値での動作モードを示す。
【００１６】
ｎ＝０、１、２及び３では、図２の垂直線により示される周波数ｆ０、ｆ１、ｆ２及びｆ３が得られる。ｐ１とｐ２の間の電力範囲で周波数が値ｆ０において一定に保たれる間、マーク・スペース比は連続的に減少する。電力がｐ２とｐ３の間で更に減少すると、周波数はｆ１に設定され、同時にマーク・スペース比は更に減少する。以下同様である。最小電力消費では、つまり接続された装置がスタンバイで動作される場合、ｄは、非常に小さい電力消費においてさえ効率が高いままであることを保証する最小値と仮定される。
【００１７】
制御部Ｒ（図１）は、望ましくは基本的にマイクロプロセッサーにより形成される。制御部の機能の説明は、図３にある。出力電圧Ｕａ及び基準電圧Ｕｒｅｆは、アナログ／デジタルコンバーター１へ供給される。アナログ／デジタルコンバーター１の出力信号の関数として、周期Ｔｏｕｔは、制御アルゴリズムを用いて計算される。これは、３において周期Ｔｒｅｆ１＝１／ｆｍａｘと比較される。Ｔｏｕｔがより大きい場合、コンバーターは上限電力値で動作する。マーク・スペース比は従って４において０．５に設定される。Ｔ＝Ｔｏｕｔと共に、ｄ＝０．５はパルス幅変調器５の入力値として用いられる。制御信号Ｃ１及びＣ２は、これらの仕様に従い導出される。
【００１８】
ＴｏｕｔがＴｒｅｆ１より大きくない場合、しかしながらＴｏｕｔは、６においてＴｒｅｆ２と比較される。この周期は、例えば９７ｋＨｚの周波数に対応する。従って、７において、制御信号Ｃ１及びＣ２の周期はＴ＝Ｔｒｅｆ１に設定され、マーク・スペース比はｄ＝０．５Ｔｏｕｔ／Ｔに設定される。この例では、コンバーターは、引き出された出力ｐ１とｐ２の間の図２に示される範囲で動作する。８、９及び１０において、それぞれ更なる基準周期Ｔｒｅｆ３、Ｔｒｅｆ４及びＴｒｅｆ５との比較が実行される。示された例では、Ｔｒｅｆ３＝１／３６ｋＨｚ、及びＴｒｅｆ４＝１／２２ｋＨｚである。Ｔ及びｄは、従って１１、１２、１３において計算される。
【００１９】
Ｔｏｕｔが更なる閾値Ｔｒｅｆ５より小さい場合、制御信号Ｃ２及びＣ１は１４において完全にオフに切り替えられる、つまりｄ＝０である。
【図面の簡単な説明】
【００２０】
【図１】本発明による、コンバーターの回路構成を示す。
【図２】本発明によるコンバーターが制御される方法を説明するための図を示す。
【図３】本発明によるコンバーターの制御部の設計を説明する図を示す。
【図１】
2008522571.tif 000003
【図２】
2008522571.tif 000004
【図３】
2008522571.tif 000005
【国際調査報告】
2008522571.tif 000006
2008522571.tif 000007
2008522571.tif 000008